(57)【特許請求の範囲】
【請求項１】
所定のキーワードからＵＲＬを検索してネットワークを介してユーザにそのＵＲＬ又はそのＵＲＬに置かれている情報を表示又は配信する検索システムにおいて、
上記ＵＲＬを有するデータベースを記憶している情報記憶手段と、
上記情報記憶手段に記憶されたデータベースを検索する検索手段と、
上記検索手段による上記データベースの検索結果を表示させる表示手段と、
上記表示手段によって表示された検索結果の表示部分をクリックしたときにその表示部分にリンクしているリンク先のＵＲＬへ移行する前に第１の広告を表示させるためおよび上記表示手段によって表示された検索結果の表示部分をクリックしたときにその表示部分にリンクしているリンク先のＵＲＬへ移行させる予定のそのリンク先のＵＲＬが存在しない場合、上記表示手段にそのＵＲＬが存在しない旨の表示を行う際のウエブページ内に掲示される第２の広告のための広告用データベースと、
を具備することを特徴とする検索システム。
【請求項２】
前記第１の広告は、前記リンク先のＵＲＬへ移行する前に行われた検索の際の検索項目に該当する業者のものとしたことを特徴とする請求項１記載の検索システム。
【請求項３】
前記第１の広告は、前記クリックする部分に表示されている被検索業者と同一業種若しくは同一地域または同一業種でかつ同一地域の業者であることを特徴とする請求項１記載の検索システム。
【請求項４】
前記第１の広告は、前記クリックする部分に表示されている被検索業者のものでないことを特徴とする請求項１から３のいずれか１項に記載の検索システム。
【請求項５】
前記第２の広告は、前記検索結果の表示が行われる直前の検索の際の検索項目に該当する業者のものであって、存在しない旨の表示が行われる被検索業者のものではないことを特徴とする請求項１記載の検索システム。
【請求項６】
前記第２の広告は、前記クリックする部分に表示されている被検索業者と同一業種若しくは同一地域または同一業種でかつ同一地域の業者であって、上記被検索業者とは異なる者の広告であることを特徴とする請求項１記載の検索システム。
【請求項７】
前記表示される広告が複数の場合、対象となる広告に番号を付与する一方、乱数を発生させて所定の番号の広告をランダムに選択することを特徴とする請求項１から６のいずれか１項に記載の検索システム。
【発明の詳細な説明】
【０００１】
【発明の属する技術分野】
本発明は、電話番号等のキーワードからホームページの検索を行う検索システムに関する。
【０００２】
【従来の技術】
例えば、Ｙａｈｏｏ等に代表される検索エンジンは、所定の欄にキーワードを打ち込んで、検索実行キーを押すことによって検索が為されるものである。この場合、キーワードを入力欄に入力して検索実行を行うと、複数の検索候補がリストとして表示される。そして、検索の結果得られたハイパーリンクされたリストから、該当しそうな会社名をクリックすれば、目的会社へアクセスすることを可能としている。
【０００３】
また、各種ホームページ上には、種々の広告が掲載されている。ホームページ上に掲載されている広告は、ハイパーリンク形式になっている。このため、その広告部分をクリックすれば、該広告を出している会社のホームページにアクセスできるように設けられている。
【０００４】
【発明が解決しようとする課題】
ところで、上述の検索エンジンにおいては、キーワードに対応した複数の検索結果が得られる。そして、ユーザは、該当すると判断したハイパーリンクについてアクセスを試みるものである。しかしながら、かかる検索エンジンでは、一度に多数のリンクが表示される。このため、ユーザは該当するホームページにアクセスするまで得られた多数のリストを夫々クリックして検索する必要がある。
【０００５】
また、検索を行う場合、検索対象である会社名、住所や電話番号のみを知っている場合がある。例えば、かかる検索対象である会社名をキーワードとして入力して検索を行っても、該当するホームページが存在しない場合もある。ところで、検索を行っている会社のホームページが表示されなくても、同業他社において用事が足りる場合がある。この場合、ユーザは再度同業他社の会社名をキーワードとして入力し、検索を実行することがある。
【０００６】
このように、他社の会社名をキーワードとして入力する場合、再度検索結果のリストを一々クリックする必要があり、非常に手間が掛かるものとなっている。
【０００７】
さらに、ある広告がホームページに表示されている場合、その広告は基本的には、利用者が他のホームページに移ると表示されない。このため、他のホームページに移行しても、利用者に広告を表示させるようにすれば、該利用者に対する広告効果は大きいものとなる。
【０００８】
本発明は、上記の事情に基づきなされたもので、その目的とするところは、広告宣伝効果が大きいと共に、利用者の検索の便宜に供する検索システムを提供しようとするものである。
【０００９】
【課題を解決するための手段】
上述の目的を達成するため、本発明は、所定のキーワードからＵＲＬを検索してネットワークを介してユーザにそのＵＲＬ又 はそのＵＲＬに置かれている情報を表示又は配信する検索システムにおいて、ＵＲＬを有するデータベースを記憶している情報記憶手段と、情報記憶手段に記憶されたデータベースを検索する検索手段と、検索手段によるデータベースの検索結果を表示させる表示手段と、表示手段によって表示された検索結果の表示部分をクリックしたときにその表示部分にリンクしているリンク先のＵＲＬへ移行する前に第１の広告を表示させるためおよび上記表示手段によって表示された検索結果の表示部分をクリックしたときにその表示部分にリンクしているリンク先のＵＲＬへ移行させる予定のそのリンク先のＵＲＬが存在しない場合、表示手段にそのＵＲＬが存在しない旨の表示を行う際のウエブページ内に掲示される第２の広告のためのの広告用データベースと、を具備することとしたものである。
【００１０】
このため、リンク先のＵＲＬへ移行する前に広告用データベースにより第１の広告を表示させるので、該ＵＲＬへ移行する場合、その移行の間に第１の広告をユーザに表示可能となる。すなわち、ホームページ上に広告を出さなければ本来は広告が表示されないが、ＵＲＬに基づいて移行する場合に広告が表示される。このため、ユーザに対して、ホームページに表示されていない広告を表示可能となる。また、リンク先のＵＲＬが存在しない場合でも、そのＵＲＬが存在しない旨の表示を表示させるウエブページ内に、第２の広告となる他社の広告を表示可能となる。それによって、例えば同業者が表示されている場合は、ユーザは同業者で用事が足りる場合には、即座に同業者にアクセスすることができる。それによって、ユーザの利便に供することが可能となる。
【００１１】
また、他の発明は、上述の発明に加えて更に、第１の広告は、リンク先のＵＲＬへ移行する前に行われた検索の際の検索項目に該当する業者のものとしている。このため、該当する業者の広告を、新たな検索の際のＵＲＬに基づいて移行する場合に表示可能となる。
【００１２】
さらに、他の発明は、上述の発明に加えて更に、第１の広告は、クリックする部分に表示されている被検索業者と同一業種若しくは同一地域または同一業種でかつ同一地域の業者であることとしている。このため、ユーザが他の会社でも用事が足りる場合、表示される広告を見ることによってユーザのニーズに答えることが可能となる。
【００１３】
また、他の発明は、上述の各発明に加えて更に、第１の広告は、クリックする部分に表示されている被検索業者のものでないこととしたものである。このため、クリックする部分に表示されている会社以外の会社をユーザは認知することができ、ユーザがこれら他の会社でも用事が足りる場合、該他の会社にもユーザ獲得の機会が与えられることとなる。
【００１７】
また、他の発明は、上述の発明に加えて更に、第２の広告は、検索結果の表示が行われる直前の検索の際の検索項目に該当する業者のものであって、存在しない旨の表示が行われる被検索業者のものではないこととしたものである。このため、直前の検索の際の検索項目に該当する業者の広告をユーザに表示することにより、ユーザへの広告宣伝効果を高めることが可能となる。
【００１８】
さらに、他の発明は、上述の発明に加えて更に、第２の広告は、クリックする部分に表示されている被検索業者と同一業種若しくは同一地域または同一業種でかつ同一地域の業者であって、被検索業者とは異なる者の広告であることとしたものである。このため、ユーザが他の会社でも用事が足りる場合、表示される広告を見ることによってユーザのニーズに答えることが可能となる。
【００２１】
また、他の発明は、上述の各発明に加えて更に、表示される広告が複数の場合、対象となる広告に番号を付与する一方、乱数を発生させて所定の番号の広告をランダムに選択することとしたものである。このため、ユーザにクリックされる回数が少ない広告でも、乱数を発生させて並べることで、特定の広告主の広告のみを上部に表示させること無く、広告順番を公平にすることができる。
【００２８】
【発明の実施の形態】
以下、本発明の一実施の形態について、図１から図５に基づいて説明する。
これらの図のうち、図１は本発明の検索システム１０の構成を示す概略図である。この図において、検索システム１０は、情報管理サーバ１１、アプリケーションサーバ１２、データベースサーバ１３及び通信サーバ１４を有している。これら情報管理サーバ１１、アプリケーションサーバ１２、データベースサーバ１３及び通信サーバ１４は、大規模な構成においては相互にＬＡＮ接続されて、互いに信号やデータの送受信を可能としている。しかしながら、大規模な構成でなく、中規模或いは小規模な構成では、単数若しくは少数のワークステーションやパソコンが、上述した各機能を兼任する構成となる。
【００２９】
なお、以下の説明においては、単数のワークステーション若しくはパソコンに基づいて説明する。また、図において、インターネット接続サービスを提供している会社のウェブサーバやインターネット網を省略している。
【００３０】
このうち、管理サーバ１１は、管理手段としての役割を果たすものである。すなわち、データベースサーバ１３に記憶されているデータのアドレス情報、及びアプリケーションサーバ１２に記憶されている各種アプリケーションプログラムのアドレス情報、さらには検索システム１０に対して外部からユーザがアクセスする場合のＵＲＬ（Ｕｎｉｆｏｒｍ  Ｒｅｓｏｕｒｃｅ  Ｌｏｃａｔｏｒ）等を管理したりするものである。
【００３１】
また、アプリケーションサーバ１２は、キーワードに対応した検索を実行するための検索プログラム、データベースサーバ１３に対する検索結果を表示するための表示アプリケーションプログラムを内蔵している。これらのプログラムと共に、アプリケーションサーバ１２は、広告プログラムの一種である催し物表示プログラムも内蔵している。これら検索プログラム、表示アプリケーションプログラム、及び催し表示プログラムは、機能的にとらえると、図２に示すようになる。すなわち、検索手段２０、表示手段２１、及び催し表示を付与するための付与手段２２が夫々設けられる構成となる。
【００３２】
このうち、検索プログラムは、これを起動するとキーワードを入力する入力欄が表示される構成である。そして、この入力欄にキーワードを入力し、その後に同様に表示される検索実行ボタンをクリックすれば、データベースサーバ１３内にキーワード情報が存在するか否かを検索可能としている。
【００３３】
また、表示アプリケーションプログラムは、検索を実行して得られた検索結果を表示するものである。これと共に、検索を実行しても検索結果が得られなかった場合も、所定の、後述する関連付けられた会社のＵＲＬを表示させる構成である。これらの表示には、ハイパーリンク形式でＵＲＬやキーワードが表示されるものが含まれる。
【００３４】
アプリケーションサーバ１２には、データベースサーバ１３が接続されている。データベースサーバ１３は、内部に照合データベース３０と、ＵＲＬデータベース３１と、関連付けデータベース（広告用データベース）３２とを有する構成である。このうち、照合データベース３１には、例えば電話番号や会社名、或いは住所番地といった特定のキーワードを記憶している。また、ＵＲＬデータベース３１には、照合データベース３０に記憶されている特定の会社のＵＲＬを記憶しているものである。また、関連付けデータベース３２には、ＵＲＬデータベース３１に記憶されているＵＲＬに関連付けられるＵＲＬが記憶されている。
【００３５】
ここで、所定のキーワード（例えば電話番号）に対しては、必ず１つ以上のＵＲＬが対応するように記憶されている。すなわち、例えばある会社に対するキーワードとしては、その会社の電話番号や会社名、住所等、いくつかあるが、夫々をキーワードとして検索を行った場合でも、その会社のＵＲＬが検索結果として得られるように設けられている。
【００３６】
なお、所定のキーワードに対し、ただ１つのみのＵＲＬを対応させるように、データベースサーバ１３に記憶させても構わない。このように、ＵＲＬに対して１つのみのＵＲＬが対応するようにした場合は、一対一型の完全一致型検索を行える構成となる。
【００３７】
また、関連付けデータベース３２においては、他社のＵＲＬと以下のような関連付けが為されている。すなわち、例えば検索対象である会社と同一業種若しくは同一地域に存在する業者、或いは同一業種でかつ同一地域に存在する業者を一くくりにして、そのＵＲＬを検索対象である会社のＵＲＬも含めて同一フォルダ内に羅列して記憶している。それによって、検索対象である会社のＵＲＬを表示する場合、該フォルダに存する全ての会社が表示されるようになる。なお、検索対象である会社は、後述するようにこの関連付けられたＵＲＬから除かれ、別途表示される。
【００３８】
また、同一地域で関連付ける場合は、検索する会社の業種、或いは会社の規模によって、適切な地域の区分に分けて表示させるようにしても構わない。例えば、自動車メーカーを入力して検索する場合は、適切な区分は全国的なものとなり、ライバル自動車メーカーが表示されることとなるが、自動車修理工場を検索する場合は、同一・近隣市町村が適切な区分となり、この地域に存在する自動車修理工場が表示される、といった如くである。
【００３９】
しかしながら、自動車メーカーを検索した場合に、この自動車メーカーに関連付けて、自動車修理工場や、自動車販売会社等、関連ある業界の会社であって適当な地域区分に存在するものを、関連付けて記憶するようにしても構わない。
【００４０】
なお、関連付けデータベース３２において、特定のＵＲＬに対して他社のＵＲＬを関連付け、これを記憶する方法は、上述の如く特定の会社のＵＲＬに対応したフォルダをディレクトリ形式で形成しても良い。ディレクトリ形式でフォルダを形成する場合は、特定の会社のＵＲＬを包括する単数又は複数の上位概念のフォルダを作成する。そして、この上位概念のフォルダに特定の会社のＵＲＬを形成し、そのＵＲＬに関連付けられる他社のＵＲＬのフォルダを作成することにより行う。
【００４１】
なお、ＵＲＬに関連付けられる他社のＵＲＬは、特定の会社のＵＲＬに対して表形式で作成しても構わない。表形式で関連付けデータベース３２を作成する場合には、同じ列には、特定の会社のＵＲＬと、この特定の会社のＵＲＬに関連付けられるＵＲＬを登録する。このようにすれば、特定の会社のＵＲＬが検索されたときに、関連付けられるＵＲＬも同時に表示可能となる。
【００４２】
ここで、以下の説明においては、キーワードを電話番号とし、この電話番号に基づいて検索を行った場合について説明する。しかしながら、電話番号以外の他のキーワードを用いて検索を行った場合も、同様な検索が行われる。
【００４３】
電話番号に基づいて照合データベース３０にアクセスした場合、該当する電話番号が照合データベース３０に存在すると、この照合データベース３０から該電話番号に対応する会社名を検索手段２０は得ることとなる。そして、得られた検索結果（会社名）に基づいて、ＵＲＬデータベース３１を検索する。この場合、ＵＲＬデータベース３１に検索対象である会社のＵＲＬが登録されている場合には、検索手段はそのＵＲＬを検索結果として得る。これと共に、検索手段２０は関連付けデータベースにもアクセスする。それにより、検索対象である会社のＵＲＬを得ると共に、該検索対象である会社のＵＲＬが登録されているフォルダから、関連付けられる会社のＵＲＬも得ることとなる。
【００４４】
そして、上述の検索対象である会社のＵＲＬ、及びこの会社と関連付けられるＵＲＬを検索手段２０で得ると、表示手段２１によってこのＵＲＬをウエブページ上に表示させる。この場合、図４に示すように、表示手段２１により表示されるウエブページは広告表示画面３３である。この広告表示画面３３は、上部に検索対象の会社のリンク３４を表示させると共に、下部に広告表示部３５を表示させるものである。この場合、リンク３４をクリックしても、広告表示画面３３は、所定の時間（例えば５秒程度）だけ表示されるように構成されている。
【００４５】
なお、検索対象である会社の検索を行った場合、上述の広告表示画面３３を最初に表示させずに、まず検索対象である会社のリンク先３４のみを表示させ、ここをクリックして検索対象である会社にアクセスする間に、広告表示画面３３のうちの広告表示部３５のみを表示させるようにしても構わない。
【００４６】
ここで、関連付けられる会社のＵＲＬを表示させるだけでも、広告となり得るが、このＵＲＬと共に、関連付けられる会社の会社名、電話番号等の他の情報を一緒に表示させることで、より広告表示画面３３としての機能を果たすことになる。また、他の情報を表示している部分も、ハイパーリンク形式で表示しても構わない。
【００４７】
このような所定の時間の表示を行うため、表示アプリケーションプログラムによって広告表示画面３３が表示されるに際して、アプリケーションサーバ１２に停止プログラムを内蔵させ、この停止プログラムによって広告表示画面３３が表示される状態を停止させても構わない。すなわち、機能的に捉えた場合、停止手段２３が設けられる構成としても構わない。広告表示画面３３の表示を停止させる場合、上述のように所定時間だけ表示が為されるようにする。
【００４８】
広告表示画面３３が表示され、所定の時間が経過した場合には、広告表示画面３３から検索対象である会社のホームページ３６へと切り替わる。それによって、ユーザは検索対象である会社のホームページ３６に辿りつくことになる。
【００４９】
しかしながら、検索対象の会社のＵＲＬが存在しない場合には、上述の広告表示画面３３のリンク先３４に対応する部分に、「登録されていません」という旨のメッセージ３７を表示させる。これと共に、「登録されていません」という旨のメッセージ３７の下欄に、例えば「同じジャンルと思われるサイトのアドレスを下記に表示します」旨のメッセージを表示させ、さらに検索対象の会社と関連付けられる会社のＵＲＬを表示させる。
【００５０】
なお、広告表示画面３３によって表示される、検索対象の会社と関連付けられる会社のＵＲＬは、ハイパーリンク形式で表示されている。それによって、利用者がこのハイパーリンク形式の表示をクリックすれば、その会社のホームページへとアクセスすることが可能となる。また、広告表示画面３３により表示される検索対象の会社と関連付けられる会社のＵＲＬは、クリック回数の多い順に、上から順番に並べられて設けられている。しかしながら、このような並べ方をせず、アプリケーションサーバ１２に乱数表示プログラムを内蔵し、関連付けられる会社のハイパーリンク形式の表示をランダムに並べるようにしても構わない。
【００５１】
以上のような広告表示画面３３が表示されるデータベースサーバ１３にアクセスし、利用者が検索対象の会社のＵＲＬを得てこれをクリックした場合、アプリケーションサーバ１２に記憶されている催し表示プログラムが起動される。催し表示プログラムにより表示される催しは、例えば懸賞等であり、リンク先のＵＲＬの所有者が懸賞の主催者、スポンサー又は協賛者であることを表示するものである。この場合、検索対象の会社は、照合データベース６０に登録する際に催し表示を行うかどうか決定する。それによって、リンク先の会社のホームページ３６が表示された場合、催し表示画面が表示されることとなる。
【００５２】
検索対象の会社のホームページ３６にアクセスしている場合、図５に示すように、このホームページ３６において催し画面４０も同時に表示される。この催し表示画面４０は、透明部分４１と、ハイパーリンク形式で表示されている催し表示部４２とから構成されている。透明部分４１は、該ＵＲＬのホームページ３６を表示させるが、かかる透明部分４１に重ねられ、その下に位置するホームページ３６は、アクティブな状態で表示されている。そのため、利用者が透明部分４１にマウスを位置させて、ホームページ３６の所定の部分をクリックすれば、該ホームページ４０での操作を問題なく実行できる。また、催し表示画面４１は、ホームページ４０から浮かせた状態で表示させている。
【００５３】
なお、催し表示プログラムによって表示される催し表示部４２は、該ホームページ４０上を自由に移動可能としている。すなわち、ホームページ４０上において、重要な部分が表示されている場合、この重要な部分の表示を避けて、催し表示部４２が他の部分に移動するように設けられている。この場合、画面上の表示を指定するＨＴＭＬ言語を判別する判別プログラムによって構成される不図示の判別手段により移動可能としている。
【００５４】
以上のような構成を有する検索システム１０によれば、表示手段２１により、検索対象の会社が見つかった場合この会社のＵＲＬへ移行する前に、広告表示画面３３で広告を表示させるので、該ＵＲＬへ移行する場合、その移行の間に広告をユーザに表示可能となる。すなわち、ホームページ上に広告を出さなければ本来は広告が表示されないが、ＵＲＬに基づいて移行する場合に広告が表示される。このため、ユーザに対して、ホームページに表示されていない広告を表示可能となる。
【００５５】
また、広告表示画面３３で表示される広告を、リンク先のＵＲＬへ移行する前に行われた検索の際の検索項目に該当する業者のものとすることもできる。このようにすれば、該当する業者の広告を、新たな検索の際のＵＲＬに基づいて移行する場合に表示可能となる。
【００５６】
さらに、広告表示画面３３で表示される広告は、クリックする部分に表示されている被検索業者と同一業種若しくは同一地域または同一業種でかつ同一地域の業者であるとすることもできる。このようにした場合は、ユーザが他の会社でも用事が足りる場合、表示される広告を見ることによってユーザのニーズに答えることが可能となる。
【００５７】
また、広告表示画面３３で表示される広告は、ハイパーリンク形式に表示されクリックする部分に表示されている被検索業者のものとせず、この会社と関連付けられる会社のものとしている。このため、クリックする部分に表示されている会社以外の会社をユーザは認知することができ、ユーザがこれら他の会社でも用事が足りる場合、該他の会社にもユーザ獲得の機会が与えられることとなる。
【００５８】
また、広告を表示させるための広告表示画面３３のウエブページを設けると共に、このウエブページからリンク先へ移行するのを停止させる停止手段２３を設けることも可能である。このようにした場合は、該ウエブページからリンク先に移行する場合、停止手段２３によってじっくり広告表示をユーザが見ることとなる。それによって、広告効果を大きなものとすることが可能となる。
【００５９】
さらに、検索対象である会社のＵＲＬが存在しない場合でも、そのＵＲＬが存在しない旨の表示を表示させるウエブページ内に、他社の広告へつながるハイパーリンクを表示可能となる。それによって、例えば同業者が表示されている場合は、ユーザは同業者で用事が足りる場合には、即座に同業者にアクセスすることができる。それによって、ユーザの利便に供することが可能となる。
【００６０】
この場合、広告表示画面３３に表示されている広告部分をクリックすれば、広告主である他の会社のホームページにアクセスすることが可能となる。それによって、ユーザの便宜を図ることが可能となる。
【００６１】
さらに、表示される広告（ＵＲＬ等のハイパーリンク）が複数の場合、クリックされた回数が多いものを上部に表示するようにすることもできる。このように構成した場合には、ユーザにクリックされる回数が多く、利用されたり関心の高い広告を上部に表示することで、多数のユーザの便宜に供することが可能となる。
【００６２】
また、表示される広告（ＵＲＬ等のハイパーリンク）が複数の場合、対象となる広告に番号を付与する一方、乱数を発生させて所定の番号の広告をランダムに選択することもできる。このようにした場合、ユーザにクリックされる回数が少ない広告でも、乱数を発生させて並べることで、特定の広告主の広告のみを上部に表示させること無く、広告順番を公平にすることができる。
【００６３】
さらに、検索対象である会社や関連付けられた会社のＵＲＬの表示をクリックし、このリンク先のＵＲＬのウエブページに移行したときでも、催し表示を付与する付与手段２３を表示させることも可能である。この場合は、リンク先のウエブページの一部にそのＵＲＬの所有者が所定の催し物の主催者等であることを示す催し表示を付与する付与手段２３が設けられたことにより、該催し物に対しての広告宣伝効果を得ることが可能となる。また、催しを懸賞とすれば、ユーザが付与手段２３によって与えられる催し表示を見ることにより、ユーザに懸賞に応募するか否かの機会を与えることが可能となる。
【００６４】
さらに、催し表示をクリックすると、主催者等がタイアップしているサイトに移行可能に構成することも可能である。このようにした場合は、ユーザが希望する場合には、ダイレクトにタイアップしているサイトにアクセスして、催し物の内容を知ることや催しに参加することが可能となる。
【００６５】
また、催し物の表示は、ウエブページ上を自動的に移動可能とすることもできる。この場合は、ウエブページ上の重要な表示が為されている部分に、催し表示を表示させず、それ以外の部分に表示可能となる。それによって、ユーザが該ウエブページを閲覧するのに邪魔になることがない。
【００６６】
さらに、催し物の表示は、その表示部分以外が透明部分４１とされているウエブページで形成され、さらに催し表示部４２を有すると共に、リンク先のウエブページの前面に浮かせるような状態で配置することができる。このようにすれば、常に催し表示をウエブページの前面に表示させることが可能となる。
【００６７】
以上、本発明の一実施の形態について述べたが、本発明は種々変形可能である。例えば、上述の実施の形態では、ユーザがパソコンやワークステーションを用いる場合を想定しているが、例えばＮＴＴのｉモードのような携帯情報端末に本発明を適用することも可能である。携帯情報端末に本発明を適用する場合には、表示可能な範囲において若干簡略化されて表示されることとなる。
【００６８】
【発明の効果】
本発明によれば、リンク先のＵＲＬへ移行する前に広告用データベースにより広告を表示させるので、該ＵＲＬへ移行する場合、その移行の間に広告をユーザに表示可能となる。すなわち、ホームページ上に広告を出さなければ本来は広告が表示されないが、ＵＲＬに基づいて移行する場合に広告が表示される。このため、ユーザに対して、ホームページに表示されていない広告を表示可能となる。
【図面の簡単な説明】
【図１】本発明の一実施の形態に係わる検索システムの構成を示す概略図である。
【図２】図１の検索システムの機能的な構成を示す図である。
【図３】図１の検索システムのデータベースサーバにおいて、データベースの分類を示す図である。
【図４】図１の検索システムを用いて検索を実行し、広告表示画面が表示されたときの状態を示す図である。
【図５】図１の検索システムにおいて、催し画面が表示された状態を示す図である。
【符号の説明】
１０…検索システム
１１…情報管理サーバ
１２…アプリケーションサーバ
１３…データベースサーバ（情報記憶手段）
２０…検索手段
２１…表示手段
２２…付与手段
２３…停止手段
３０…照合データベース
３１…ＵＲＬデータベース
３２…関連付けデータベース（広告用データベース）
３３…広告表示画面
３６…ホームページ
４０…催し画面
４１…透明部分
４２…催し表示部
【図１】
0003613552.tif 000002
【図２】
0003613552.tif 000003
【図３】
0003613552.tif 000004
【図４】
0003613552.tif 000005
【図５】
0003613552.tif 000006